【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
リスナの正中面を含む面内の位置を再生音像定位位置とする第１のチャンネルを含む複数チャンネルの音声信号を再生する音響再生システムにおいて、
前記第１のチャンネルの音声信号が供給され、当該第１のチャンネルの音声信号による再生音像定位位置が、リスナの正中面を含む面内の位置となるように配置される第１のスピーカと、
所定の位置を再生音像定位位置とするように仮想音源処理された音声信号が供給される２個の第２のスピーカと、
前記複数のチャンネルの音声信号に対して前記仮想音源処理を施して、前記第２のスピーカに供給する音声信号を生成する仮想音源処理手段と、
前記第１のチャンネルの音声信号から、前記第１のチャンネルの音量を検出するとともに、前記第１のチャンネル以外の他のチャンネルの音声信号から、それらのチャンネルの音量を検出する音量検出手段と、
前記音量検出手段で検出された前記第１のチャンネルの音量と、その他のチャンネルの音量とを比較する音量比較手段と、
前記音量比較手段の比較結果に基づいて、前記第１のチャンネルの音声信号と、前記その他のチャンネルの音声信号のそれぞれのゲインを制御する制御手段と、
を備える音響再生システム。
【請求項２】
請求項１に記載の音響再生システムにおいて、
前記制御手段は、前記第１のチャンネルの音量が前記その他のチャンネルの音量よりも相対的に大きいと判別したときには、前記仮想音源処理手段に供給する前記複数のチャンネルの音声信号のうちの前記第１のチャンネルの音声信号について、その音量を絞るようにゲイン制御する
ことを特徴とする音響再生システム。
【請求項３】
請求項１に記載の音響再生装置において、
前記制御手段は、前記第１のチャンネルの音量が前記その他のチャンネルの音量よりも相対的に大きいと判別したときには、前記仮想音源処理手段に供給する前記複数のチャンネルの音声信号から、前記第１のチャンネルの音声信号を除去するように制御する
ことを特徴とする音響再生システム。
【請求項４】
請求項１に記載の音響再生システムにおいて、
前記制御手段は、前記第１のチャンネルの音量が前記その他のチャンネルの音量よりも相対的に大きいと判別したときには、前記第１のチャンネルの音量を上げるように、前記第１のチャンネルの音声信号のゲインを制御する
ことを特徴とする音響再生システム。
【請求項５】
請求項４に記載の音響再生システムにおいて、
前記制御手段は、前記第１のチャンネルの音量が前記その他のチャンネルの音量よりも相対的に大きいと判別したときには、前記仮想音源処理された音声信号は、前記第１のスピーカにおける放音タイミングよりも遅れて放音するように遅延させて前記第２のスピーカに供給する
ことを特徴とする音響再生システム。
【請求項６】
請求項１に記載の音響再生システムにおいて、
前記仮想音源処理されて前記第２のスピーカに供給する音声信号のうち、少なくとも、前記第１のスピーカに供給する音声信号と同じチャンネルの音声信号は、前記第１のスピーカにおける放音タイミングよりも遅れて前記第２のスピーカから放音されるように遅延させる
ことを特徴とする音響再生システム。
【請求項７】
請求項１に記載の音響再生システムにおいて、
前記第２のスピーカは、スピーカユニットが、その振動板の前後から出る音が加算可能なように、バッフル板に取り付けられることなく、前記リスナの両耳の近傍の所定の位置に保持手段により保持される
ことを特徴とする音響再生システム。
【請求項８】
請求項１に記載の音響再生システムにおいて、
前記複数チャンネルの音声信号は、マルチチャンネルサラウンド方式の音声信号であり、前記第１のチャンネルの音声信号は、センタチャンネルの音声信号である
ことを特徴とする音響再生システム。
【請求項９】
請求項８に記載の音響再生システムにおいて、
前記第１のスピーカは、フロント左右２チャンネル用の２個のスピーカであり、
前記第１のチャンネルのセンタチャンネルの音声信号は、前記フロント左チャンネルおよび前記フロント右チャンネルの音声信号に、それぞれ加算される
ことを特徴とする音響再生システム。
【請求項１０】
リスナの正中面を含む面内の位置を再生音像定位位置とする第１のチャンネルを含む複数チャンネルの音声信号のうちの、前記第１のチャンネルの音声信号が供給され、当該第１のチャンネルの音声信号による再生音像定位位置が、リスナの正中面を含む面内位置となるように配置される第１のスピーカと、
所定の位置を再生音像定位位置とするように仮想音源処理された音声信号が供給される２個の第２のスピーカと、
前記複数のチャンネルの音声信号に対して前記仮想音源処理を施して、前記第２のスピーカに供給する音声信号を生成する仮想音源処理手段と、
を備える音響再生システムにおける音響再生方法において、
前記音響再生システムの音量比較手段が、前記第１のスピーカに供給される前記第１のチャンネルの音声信号の音量と、その他のチャンネルの音声信号の音量とを比較する音量比較工程と、
前記音量比較工程での比較結果に基づいて、前記第１のチャンネルの音声信号と、前記その他のチャンネルの音声信号のそれぞれのゲインを制御する制御工程と、
を備える音響再生方法。
【請求項１１】
リスナの正中面を含む面内の位置を再生音像定位位置とする第１のチャンネルを含む複数チャンネルの音声信号を供給され、前記複数のチャンネルの音声信号に対して仮想音源処理を施して、２個のスピーカに供給する音声信号を生成する仮想音源処理手段と、
前記第１のチャンネルの音声信号を、前記リスナの正中面を含む面内位置に配置される前方スピーカに出力する出力回路と、
前記第１のチャンネルの音声信号から、前記第１のチャンネルの音量を検出するとともに、前記第１のチャンネル以外の他のチャンネルの音声信号から、それらのチャンネルの音量を検出する音量検出手段と、
前記音量検出手段で検出された前記第１のチャンネルの音量と、その他のチャンネルの音量との比較結果に基づいて、前記第１のチャンネルの音声信号と、前記その他のチャンネルの音声信号のそれぞれのゲインを制御する制御手段と、
を備える音響再生装置。
【手続補正２】
【補正対象書類名】明細書
【補正対象項目名】発明の名称
【補正方法】変更
【補正の内容】
【発明の名称】音響再生システム、音響再生装置および音響再生方法
【手続補正３】
【補正対象書類名】明細書
【補正対象項目名】０００１
【補正方法】変更
【補正の内容】
【０００１】
この発明は、複数チャンネルのうちの一部の音声信号を仮想音源処理して音響再生するようにする音響再生装置、音響再生システムおよび音響再生方法に関する。
【手続補正４】
【補正対象書類名】明細書
【補正対象項目名】００１２
【補正方法】変更
【補正の内容】
【００１２】
これは、実際に配置されている２個のスピーカに供給する音声信号として、仮想音像定位させる位置にスピーカを配置したときのリスナの両耳までの伝達関数（頭部伝達関数）を畳み込んだ音声信号を生成するようにするものである。
【手続補正５】
【補正対象書類名】明細書
【補正対象項目名】００１８
【補正方法】変更
【補正の内容】
【００１８】
しかしながら、特に、リスナの正中面を含む面内の位置を音像定位位置とするチャンネル、つまり５．１チャンネルマルチサラウンド方式ではセンタチャンネル、について、仮想音源処理された音声信号によって音響再生された音像（仮想音像）の定位感が、実際に、当該チャンネル用として、そのチャンネルの音像定位位置に配置される実スピーカ（仮想音源処理された音声信号を再生するスピーカに対応する語として、実スピーカという語を使用することとする）を配置して、当該チャンネルの音声信号を、その実スピーカに供給して音響再生した場合に比べて悪化する問題がある。
【手続補正６】
【補正対象書類名】明細書
【補正対象項目名】００３１
【補正方法】変更
【補正の内容】
【００３１】
図１に示すように、この実施形態の音響再生システムは、フロント左右２チャンネル用の２個のスピーカ１１ＦＬおよび１１ＦＲを具備するテレビ受像機１と、ＤＶＤプレーヤ２と、音声信号出力装置部３と、リスナ４の両耳の近傍に設けられる２個のスピーカ１１ＳＷ１および１１ＳＷ２とを備えて構成されている。
【手続補正７】
【補正対象書類名】明細書
【補正対象項目名】００３２
【補正方法】変更
【補正の内容】
【００３２】
この実施形態では、基本的には、５．１チャンネルサラウンド方式の、ＬＦＥ（Ｌｏｗ  Ｆｒｅｑｕｅｎｃｙ  Ｅｆｆｅｃｔ）チャンネルを除く、すべてのチャンネル音声を、仮想音源処理して、リスナ４の両耳の近傍に設けられる２個のスピーカ１１ＳＷ１および１１ＳＷ２により、音響再生するようにする。
【手続補正８】
【補正対象書類名】明細書
【補正対象項目名】００３８
【補正方法】変更
【補正の内容】
【００３８】
また、この実施形態では、リスナ４の両耳の近傍に設けられる２個のスピーカ１１ＳＷ１および１１ＳＷ２には、５．１チャンネルサラウンド音声のうちの低域音声再生用チャンネルも供給される。このため、スピーカ１１ＳＷ１，１１ＳＷ２は、ＬＦＥチャンネルも十分に再生することができるようなスピーカが好適である。
【手続補正９】
【補正対象書類名】明細書
【補正対象項目名】００４１
【補正方法】変更
【補正の内容】
【００４１】
音声信号出力装置部３は、この実施形態では、５．１チャンネルのマルチチャンネルサラウンド音声方式に対応するデコード機能を備え、テレビ受像機１で受信したデジタル放送番組の音声を５．１チャンネルサラウンド音声で再生する際には、リスナ４の両耳の近傍に設けられる第１および第２のスピーカ１１ＳＷ１および１１ＳＷ２に供給する音声信号を生成して、それぞれ対応する各スピーカに供給するようにする。
【手続補正１０】
【補正対象書類名】明細書
【補正対象項目名】００４２
【補正方法】変更
【補正の内容】
【００４２】
また、音声信号出力装置部３は、ＤＶＤプレーヤ２で再生した映像および音声の再生時には、リスナ４の両耳の近傍に設けられる第１および第２のスピーカ１１ＳＷ１および１１ＳＷ２に供給する音声信号のみではなく、テレビ受像機１の左右２チャンネル用の２個のスピーカ１１ＦＬおよび１１ＦＲに供給する音声信号を生成し、それぞれ対応する各スピーカに供給するようにする。
【手続補正１１】
【補正対象書類名】明細書
【補正対象項目名】００５１
【補正方法】変更
【補正の内容】
【００５１】
また、この実施形態では、ＬＦＥチャンネル以外の５．１チャンネルの他のすべてのチャンネルの音声信号を仮想音源処理して、スピーカ１１ＳＷ１および１１ＳＷ２に供給するようにする。
【手続補正１２】
【補正対象書類名】明細書
【補正対象項目名】００６１
【補正方法】変更
【補正の内容】
【００６１】
そこで、この実施形態では、ＬＦＥチャンネル以外の５．１チャンネルの他のすべてのチャンネルの音声信号を仮想音源処理して、スピーカ１１ＳＷ１および１１ＳＷ２に供給するようにする。
【手続補正１３】
【補正対象書類名】明細書
【補正対象項目名】００７３
【補正方法】変更
【補正の内容】
【００７３】
補助用のスピーカ１１ＳＷ３，１１ＳＷ４は、リスナ４の耳の横に配置されているスピーカ１１ＳＷ１，１１ＳＷ２のみでは、聴感上、低域の音がパワー不足と感じられる場合があるので、当該パワー不足を補充するためのもので、これら補助用のスピーカ１１ＳＷ３，１１ＳＷ４は必須のものではない。
【手続補正１４】
【補正対象書類名】明細書
【補正対象項目名】００９０
【補正方法】変更
【補正の内容】
【００９０】
５．１チャンネルデコード部３０１からのフロント左チャンネルの音声信号Ｌは、ゲイン調整アンプ３１１を通じて加算部３０３に供給され、また、５．１チャンネルデコード部３０１からのフロント右チャンネルの音声信号Ｒは、ゲイン調整アンプ３１３を通じて加算部３０４に供給される。そして、５．１チャンネルデコード部３０１からのセンタチャンネルの音声信号Ｃは、ゲイン調整アンプ３１２を通じて加算部３０３および３０４に等量供給される。
【手続補正１５】
【補正対象書類名】明細書
【補正対象項目名】００９２
【補正方法】変更
【補正の内容】
【００９２】
また、加算部３０４では、ゲイン調整アンプ３１３からのフロント右チャンネルの音声信号Ｒと、ゲイン調整アンプ３１２からのセンタチャンネルの音声信号Ｃとが加算され、その加算出力音声信号（Ｒ＋Ｃ）が、アンプ３０６を通じて音声出力端子３０８に導出される。この出力端子３０８に得られる音声信号は、テレビ受像機１の他方のスピーカ１１ＦＲに供給される。
【手続補正１６】
【補正対象書類名】明細書
【補正対象項目名】００９５
【補正方法】変更
【補正の内容】
【００９５】
また、加算部３１８では、ゲイン調整アンプ３１６からのフロント右チャンネルの音声信号Ｒと、ゲイン調整アンプ３１５からのセンタチャンネルの音声信号Ｃとが加算され、その加算出力音声信号（Ｒ＋Ｃ）が、フロント伝達関数畳み込み回路３１９に供給される。
【手続補正１７】
【補正対象書類名】明細書
【補正対象項目名】０１０４
【補正方法】変更
【補正の内容】
【０１０４】
同様にして、フロント右チャンネル用スピーカ１４ＦＲで、例えばインパルスを音響再生したときの放音音声を、それぞれのマイクロホン４１，４２で収音し、その収音した音声信号から、フロントスピーカ１４ＦＲからの左右の耳までの伝達関数（フロント右チャンネルについての頭部フロント伝達関数）を測定する。
【手続補正１８】
【補正対象書類名】明細書
【補正対象項目名】０１０７
【補正方法】変更
【補正の内容】
【０１０７】
そして、このリア左チャンネル用スピーカ１４ＲＬで、例えばインパルスを音響再生したときの放音音声を、それぞれのマイクロホン４１，４２で収音し、その収音した音声信号から、リアスピーカ１４ＲＬからの左右の耳までの伝達関数（リア左チャンネルについての頭部リア伝達関数）を測定する。
【手続補正１９】
【補正対象書類名】明細書
【補正対象項目名】０１０８
【補正方法】変更
【補正の内容】
【０１０８】
同様にして、リア右チャンネル用スピーカ１４ＲＲで、例えばインパルスを音響再生したときの放音音声を、それぞれのマイクロホン４１，４２で収音し、その収音した音声信号から、リアスピーカ１４ＲＲからの左右の耳までの伝達関数（リア右チャンネルについての頭部リア伝達関数）を測定する。
【手続補正２０】
【補正対象書類名】明細書
【補正対象項目名】０１１２
【補正方法】変更
【補正の内容】
【０１１２】
以上のようにして測定された頭部フロント伝達関数および頭部リア伝達関数が頭部フロント伝達関数記憶部１０９および頭部リア伝達関数記憶部１１０のそれぞれに記憶され、フロント伝達関数畳み込み回路３１９およびリア伝達関数畳み込み回路３２０に、入出力ポート１０６、１０７を通じて供給されて、フロント伝達関数畳み込み回路３１９およびリア伝達関数畳み込み回路３２０において畳み込まれる。
【手続補正２１】
【補正対象書類名】明細書
【補正対象項目名】０１２４
【補正方法】変更
【補正の内容】
【０１２４】
この実施形態では、さらに進んで、センタチャンネルの定位感をより安定にするために、フロントチャンネル用スピーカ１１ＦＬおよび１１ＦＲからの再生音声の方が、リスナ４の耳に早く到達するように遅延部３２５の遅延量を調整して、ＬＦＥチャンネルの音声信号を、より遅延させるようにする。このようにすることで、ハース（Ｈａａｓ）効果によって、リスナ４は、フロント音声としては、あたかもスピーカ１１ＦＬおよび１１ＦＲからの放音音声のみを聴取しているかのような状態とすることができる。
【手続補正２２】
【補正対象書類名】明細書
【補正対象項目名】０１２６
【補正方法】変更
【補正の内容】
【０１２６】
これら音声出力端子は、リスナ４の耳の近傍に配置されているスピーカ１１ＳＷ１および１１ＳＷ２に接続されている。したがって、スピーカ１１ＳＷ１および１１ＳＷ２は、サブウーハとして、低域音声信号ＬＦＥを音響再生すると共に、仮想音源処理された５．１チャンネルの音声信号を音響再生する。
【手続補正２３】
【補正対象書類名】明細書
【補正対象項目名】０１４４
【補正方法】変更
【補正の内容】
【０１４４】
以上のことから分かるように、この実施形態では、基本的には、センタチャンネルの音量が、他のチャンネルの音量に比較して大きいときには、優先的に、リスナ４の前方に設けた実スピーカに、センタチャンネルの音声の音量を、より大きく割り当て、リスナ４の両耳の近傍に設けた２個のスピーカ１１ＳＷ１，１１ＳＷ２に供給する音声信号中のセンタチャンネルの音声信号は、絞るように制御する。
【手続補正２４】
【補正対象書類名】明細書
【補正対象項目名】０１５２
【補正方法】変更
【補正の内容】
【０１５２】
図１０（Ａ）において、センタチャンネルについて塗りを付して示す部分を含む場合Ｎｏ．４，Ｎｏ．５，Ｎｏ．７−９，Ｎｏ．１３，Ｎｏ．１４，Ｎｏ．１６−１８，Ｎｏ．２５−２７は、それぞれセンタチャンネルの音声の音量が、他のチャンネルの音量に比較して、相対的に大きい場合である。
【手続補正２５】
【補正対象書類名】明細書
【補正対象項目名】０１５３
【補正方法】変更
【補正の内容】
【０１５３】
これらの場合Ｎｏ．４，Ｎｏ．５，Ｎｏ．７−９，Ｎｏ．１３，Ｎｏ．１４，Ｎｏ．１６−１８，Ｎｏ．２５−２７においては、図１０（Ｂ）に示すように、センタチャンネルは、実スピーカにより、主として音響再生するようにするとよい。そして、リスナ４の両耳近傍に配置した２個のスピーカ１１ＳＷ１，１１ＳＷ２に供給する音声信号は、「耳元Ｃ無」とするようにするとよい。
【手続補正２６】
【補正対象書類名】明細書
【補正対象項目名】０１５４
【補正方法】変更
【補正の内容】
【０１５４】
このことを考慮して、この実施形態では、これらの場合Ｎｏ．４，Ｎｏ．５，Ｎｏ．７−９，Ｎｏ．１３，Ｎｏ．１４，Ｎｏ．１６−１８，Ｎｏ．２５−２７においては、ゲイン制御信号生成部１１３では、ゲイン調整アンプ３１２およびゲイン調整アンプ３１４，３１６に対しては、そのゲインＧ２，Ｇ４，Ｇ６を予め設定されている通常のゲインとするようなゲイン制御信号が生成され、ゲイン調整アンプ３１１、３１３，３１５に対しては、そのゲインＧ１，Ｇ３，Ｇ５をゼロとするようなゲイン制御信号が生成され、それらのゲイン制御信号が、それぞれ各ゲイン調整アンプ３１１〜３１６に、入出力ポート１０５を通じて供給される。
【手続補正２７】
【補正対象書類名】明細書
【補正対象項目名】０１６９
【補正方法】変更
【補正の内容】
【０１６９】
また、このフロント左右２チャンネル用の２個のスピーカ１５ＦＬおよび１５ＦＲを実スピーカと考えて、このフロント左右２チャンネル用の２個のスピーカ１５ＦＬおよび１５ＦＲに、センタチャンネルの音声信号を、１：１の等量の割合でそれぞれ供給するようにする。このようにすれば、上述の実施形態と同様にして、図１２で一点差線で示すように、センタチャンネル用の実スピーカ１５Ｃを実現することができる。これにより、設ける必要なスピーカは、２個とすることができる。
【手続補正２８】
【補正対象書類名】図面
【補正対象項目名】図１１
【補正方法】変更
【補正の内容】
【図１１】
2008079065.tif 000001